(57)【要約】  リレー選択エンティティ（１、３、５）は、第１のリモート端末（１）に適した少なくとも１つの特定のリレー端末（２）を、１又は複数のリレー端末（２）の中から、各リレー端末（２）と接続又は通信している他のリモート端末の数を考慮して選択するよう構成されている。各特定のリレー端末（２）は、各特定のリレー端末（２）と第１のリモート端末（１）との間のデバイス・ツー・デバイス（Ｄ２Ｄ）リンク（１０２）及び各特定のリレー端末と基地局との間のバックホールリンク（１０１）を介して、第１のリモート端末（１）と基地局（３）との間でトラフィックを中継する。
2017130593.tif 000002
【特許請求の範囲】
【請求項１】
メモリと、
前記メモリに結合された少なくとも１つのプロセッサと、
を備え、
前記少なくとも１つのプロセッサは、第１のリモート端末に適した少なくとも１つの特定のリレー端末を、１又は複数のリレー端末の中から、各リレー端末と接続又は通信している他のリモート端末の数を考慮して選択するよう構成され、
各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する、
リレー選択装置。
【請求項２】
前記少なくとも１つのプロセッサは、前記他のリモート端末の数が小さいリレー端末ほど前記少なくとも１つの特定のリレー端末に優先的に選択するよう構成されている、
請求項１に記載のリレー選択装置。
【請求項３】
前記少なくとも１つのプロセッサは、前記少なくとも１つの特定のリレー端末を選択するために、各リレー端末から前記基地局へのアップリンク送信の品質をさらに考慮するよう構成されている、
請求項１又は２に記載のリレー選択装置。
【請求項４】
前記少なくとも１つのプロセッサは、
各リレー端末の前記アップリンク送信の推定スループット及び各リレー端末の前記他のリモート端末の数から前記第１のリモート端末が利用できる実効スループットを推定し、
前記実効スループットに基づいて前記少なくとも１つの特定のリレー端末を選択するよう構成されている、
請求項３に記載のリレー選択装置。
【請求項５】
前記少なくとも１つのプロセッサは、各リレー端末の最大送信電力を表すパワークラス情報を用いて、前記アップリンク送信の品質を判定するよう構成されている、
請求項３又は４に記載のリレー選択装置。
【請求項６】
前記アップリンク送信の品質は、各リレー端末の前記アップリンク送信に適用されるModulation and Coding Scheme（MCS）の推定値を含む、
請求項３〜５のいずれか１項に記載のリレー選択装置。
【請求項７】
前記少なくとも１つのプロセッサは、前記少なくとも１つの特定のリレー端末を選択するために、前記第１のリモート端末と各リレー端末との間のＤ２Ｄリンクの品質をさらに考慮するよう構成されている、
請求項１〜６のいずれか１項に記載のリレー選択装置。
【請求項８】
前記少なくとも１つのプロセッサは、前記第１のリモート端末と前記基地局との間の直接的な無線リンクの品質をさらに考慮して、前記１又は複数のリレー端末のいずれかを介するリレー経路と、前記直接的な無線リンクのどちらを前記第１のリモート端末の通信のために使用するかを決定するよう構成されている、
請求項１〜７のいずれか１項に記載のリレー選択装置。
【請求項９】
前記第１のリモート端末は、複数のＤ２Ｄリンクを同時に用いて通信できるよう構成され、
前記少なくとも１つのプロセッサは、前記第１のリモート端末の要求スループットを達成するために、複数の特定のリレー端末を選択するよう構成されている、
請求項１〜８のいずれか１項に記載のリレー選択装置。
【請求項１０】
第１のリモート端末に適した少なくとも１つの特定のリレー端末を、１又は複数のリレー端末の中から、各リレー端末と接続又は通信している他のリモート端末の数を考慮して選択することを備え、ここで、各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する、
リレー選択方法。
【請求項１１】
前記選択することは、前記他のリモート端末の数が小さいリレー端末ほど前記少なくとも１つの特定のリレー端末に優先的に選択することを含む、
請求項１０に記載のリレー選択方法。
【請求項１２】
前記選択することは、前記少なくとも１つの特定のリレー端末を選択するために、各リレー端末から前記基地局へのアップリンク送信の品質をさらに考慮することを含む、
請求項１０又は１１に記載のリレー選択方法。
【請求項１３】
各リレー端末の前記アップリンク送信の推定スループット及び各リレー端末の前記他のリモート端末の数から前記第１のリモート端末が利用できる実効スループットを推定することをさらに備え、
前記選択することは、前記実効スループットに基づいて前記少なくとも１つの特定のリレー端末を選択することを含む、
請求項１２に記載のリレー選択方法。
【請求項１４】
各リレー端末の最大送信電力を表すパワークラス情報を用いて、前記アップリンク送信の品質を判定することをさらに備える、
請求項１２又は１３に記載のリレー選択方法。
【請求項１５】
前記アップリンク送信の品質は、各リレー端末の前記アップリンク送信に適用されるModulation and Coding Scheme（MCS）の推定値を含む、
請求項１２〜１４のいずれか１項に記載のリレー選択方法。
【請求項１６】
前記選択することは、前記少なくとも１つの特定のリレー端末を選択するために、前記第１のリモート端末と各リレー端末との間のＤ２Ｄリンクの品質をさらに考慮することを含む、
請求項１０〜１５のいずれか１項に記載のリレー選択方法。
【請求項１７】
前記第１のリモート端末と前記基地局との間の直接的な無線リンクの品質をさらに考慮して、前記１又は複数のリレー端末のいずれかを介するリレー経路と、前記直接的な無線リンクのどちらを前記第１のリモート端末の通信のために使用するかを決定することをさらに備える、
請求項１０〜１６のいずれか１項に記載のリレー選択方法。
【請求項１８】
前記第１のリモート端末は、複数のＤ２Ｄリンクを同時に用いて通信できるよう構成され、
前記選択することは、前記第１のリモート端末の要求スループットを達成するために、複数の特定のリレー端末を選択することを含む、
請求項１０〜１７のいずれか１項に記載のリレー選択方法。
【請求項１９】
リレー選択方法をコンピュータに行わせるためのプログラムを格納した非一時的なコンピュータ可読媒体であって、
前記リレー選択方法は、第１のリモート端末に適した少なくとも１つの特定のリレー端末を、１又は複数のリレー端末の中から、各リレー端末と接続又は通信している他のリモート端末の数を考慮して選択することを備え、ここで、各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する、
非一時的なコンピュータ可読媒体。
【発明の詳細な説明】
【技術分野】
【０００１】
本開示は、端末間直接通信（device-to-device（D2D）通信）に関し、特にリレー端末の選択に関する。
【背景技術】
【０００２】
いくつかの実装において、無線端末は、他の無線端末と直接的に通信できるよう構成される。このような通信は、device-to-device（D2D）通信と呼ばれる。D2D通信は、ダイレクト通信およびダイレクト・ディスカバリの少なくとも一方を含む。いくつかの実装において、D2D通信をサポートする複数の無線端末は、自律的に又はネットワークの指示に従ってD2D通信グループを形成し、当該D2D通信グループ内の他の無線端末と通信を行う。【０００３】
3GPP Release 12は、Proximity-based services（ProSe）について規定している（例えば、非特許文献１を参照）。ProSeは、ProSeディスカバリ（ProSe discovery）及びProSeダイレクト通信（ProSe direct communication）を含む。ProSeディスカバリは、無線端末が近接していること（in proximity）の検出を可能にする。ProSeディスカバリは、ダイレクト・ディスカバリ（ProSe Direct Discovery）及びネットワークレベル・ディスカバリ（EPC-level ProSe Discovery）を含む。【０００４】
ProSeダイレクト・ディスカバリは、ProSeを実行可能な無線端末（ProSe-enabled User Equipment（UE））が他のProSe-enabled UEをこれら２つのUEが有する無線通信技術（例えば、Evolved Universal Terrestrial Radio Access (E-UTRA) technology）の能力だけを用いて発見する手順により行われる。これに対して、EPC-level ProSe Discoveryでは、コアネットワーク（Evolved Packet Core (EPC)）が２つのProSe-enabled UEsの近接を判定し、これをこれらのUEsに知らせる。ProSeダイレクト・ディスカバリは、３つ以上のProSe-enabled UEsにより行われてもよい。【０００５】
ProSeダイレクト通信は、ProSeディスカバリ手順の後に、ダイレクト通信レンジ内に存在する２以上のProSe-enabled UEsの間の通信パスの確立を可能にする。言い換えると、ProSeダイレクト通信は、ProSe-enabled UEが、基地局（eNodeB）を含む公衆地上移動通信ネットワーク（Public Land Mobile Network (PLMN)）を経由せずに、他のProSe-enabled UEと直接的に通信することを可能にする。ProSeダイレクト通信は、基地局（eNodeB）にアクセスする場合と同様の無線通信技術（E-UTRA technology）を用いて行われてもよいし、wireless local area network (WLAN)の無線技術（つまり、IEEE 802.11 radio technology）を用いて行われてもよい。【０００６】
ProSeダイレクト・ディスカバリ及びProSeダイレクト通信は、UE間のダイレクトインタフェースにおいて行われる。当該ダイレクトインタフェースは、PC5インタフェース又はサイドリンク（sidelink）と呼ばれる。すなわち、ProSeダイレクト・ディスカバリ及びProSeダイレクト通信は、D2D通信の一例である。なお、D2D通信は、サイドリンク通信と呼ぶこともでき、peer-to-peer通信と呼ぶこともできる。【０００７】
3GPP Release 12では、ProSe functionが公衆地上移動通信ネットワーク（PLMN）を介してProSe-enabled UEと通信し、ProSeディスカバリ及びProSeダイレクト通信を支援（assist）する。ProSe functionは、ProSeのために必要なPLMNに関連した動作に用いられる論理的な機能（logical function）である。ProSe functionによって提供される機能（functionality）は、例えば、（ａ）third-party applications（ProSe Application Server）との通信、（ｂ）ProSeディスカバリ及びProSeダイレクト通信のためのUEの認証、（ｃ）ProSeディスカバリ及びProSeダイレクト通信のための設定情報（例えば、EPC-ProSe-User IDなど）のUEへの送信、並びに（ｄ）ネットワークレベル・ディスカバリ（i.e., EPC-level ProSe discovery）の提供、を含む。ProSe functionは、１又は複数のネットワークノード又はエンティティに実装されてもよい。本明細書では、ProSe functionを実行する１又は複数のネットワークノード又はエンティティを“ProSe function エンティティ”又は“ProSe functionサーバ”と呼ぶ。【０００８】
さらに、3GPP Release 12は、一方のUEがネットワークカバレッジ外であり、他方のUEがネットワークカバレッジ内であるパーシャルカバレッジ・シナリオについて規定している（例えば、非特許文献１のセクション4.4.3、4.5.4および5.4.4を参照）。パーシャルカバレッジ・シナリオにおいて、カバレッジ外のUEはremote UEと呼ばれ、カバレッジ内かつremote UEとネットワークを中継するUEはProSe UE-to-Network Relayと呼ばれる。ProSe UE-to-Network Relayは、remote UEとネットワーク（E-UTRA  network（E-UTRAN）及びEPC）との間でトラフィック（ダウンリンク及びアップリンク）を中継する。【０００９】
より具体的に述べると、ProSe UE-to-Network Relayは、UEとしてネットワークにアタッチし、ProSe function エンティティ又はその他のPacket Data Network（PDN）と通信するためのPDN connectionを確立し、ProSeダイレクト通信を開始するためにProSe function エンティティと通信する。ProSe UE-to-Network Relayは、さらに、remote UEとの間でディスカバリ手順を実行し、UE間ダイレクトインタフェース（e.g., サイドリンク又はPC5インタフェース）においてremote UEと通信し、remote UEとネットワークとの間でトラフィック（ダウンリンク及びアップリンク）を中継する。Internet Protocol version 4（IPv4）が用いられる場合、ProSe UE-to-Network Relayは、Dynamic Host Configuration Protocol Version 4 (DHCPv4) Server及びNetwork Address Translation (NAT) として動作する。IPv6が用いられる場合、ProSe UE-to-Network Relayは、stateless DHCPv6 Relay Agentとして動作する。【００１０】
さらに、3GPP Release 13ではProSeの拡張が議論されている（例えば、非特許文献２−８を参照）。当該議論は、ProSe UE-to-Network Relay 及びProSe UE-to-UE Relayを選択するためのリレー選択基準（relay selection criteria）に関する議論、及びリレー選択の配置を含むリレー選択手順に関する議論を含む。ここで、ProSe UE-to-UE Relayは、２つのremote UEの間でトラフィックを中継するUEである。【００１１】
UE-to-Network Relayのリレー選択の配置に関しては、リモートUEがリレー選択を行う分散（distributed）リレー選択アーキテクチャ（例えば、非特許文献３−５、７、及び８を参照）と、基地局（eNodeB（eNB））等のネットワーク内の要素がリレー選択を行う集中（centralized）リレー選択アーキテクチャ（例えば、非特許文献６及び７を参照）が提案されている。UE-to-Network Relayのリレー選択基準に関しては、リモートUEとリレーUEの間のD2Dリンク品質を考慮すること、リレーUEとeNBの間のバックホールリンク品質を考慮すること、並びにD2Dリンク品質及びバックホールリンク品質の両方を考慮することが提案されている（例えば、非特許文献３−８を参照）。【００１２】
例えば、非特許文献３−５は、分散（distributed）リレー選択においてD2Dリンク品質及びバックホールリンク品質の両方を考慮することを記載している。一例において、リモートUEは、w * D2D link quality + (1-w) * backhaul link qualityという評価式を用いてD2Dリンク品質及びバックホールリンク品質の両方を考慮する、ここでwは予め設定される定数である（非特許文献３を参照）。幾つかの実装において、リレーUEは、リモートUEによるリレー選択をアシストするために、バックホールリンク（リレーUEとeNBの間）の無線品質を示すディスカバリメッセージを送信する（非特許文献４を参照）。これに代えて、リレーUEは、リモートUEによるリレー選択をアシストするために、バックホールリンクの無線品質を暗示的に（implicitly）リモートUEに示してもよい。バックホールリンクの無線品質を暗示的に示すために、例えば、ディスカバリ信号内の優先度情報（priority information）が使用される（非特許文献５を参照）。【００１３】
例えば、非特許文献６は、集中（centralized）リレー選択においてD2Dリンク品質及びバックホールリンク品質の両方を考慮することを記載している。一例において、リモートUEはD2Dリンク品質をeNBに報告し、eNBは報告されたD2Dリンク品質と（報告された）バックホールリンク品質を考慮してリモートUEのためのリレーを選択する。バックホールリンク品質は、既存のセルラーネットワークにおけるeNBによる測定又はリレーUEによる測定報告によって取得されてもよい。【００１４】
例えば、非特許文献７及び８は、eNBが、バックホールリンク品質を考慮して１又は複数のリレー候補（candidate）UEを選択する。これらのリレー候補UEのみがリレーディスカバリ手順においてリモートUEにより発見されることができる。リモートUEは、D2Dリンク品質に基づいて１又は複数のリレー候補の中からリレーを選択する。バックホールリンク品質はeNBによるリレー候補の選択の際に考慮されているから、したがってリモートUEによるリレー選択にも間接的に考慮されている。【００１５】
本明細書では、ProSe UE-to-Network Relay及びProSe UE-to-UE RelayのようなD2D通信能力およびリレー能力を持つ無線端末を「リレー無線端末」、又は「リレーUE」と呼ぶ。また、リレーUEによる中継サービスを受ける無線端末を「リモート無線端末」又は「リモートUE」と呼ぶ。
【先行技術文献】
【非特許文献】
【００１６】
【非特許文献１】3GPP TS 23.303 V13.2.0 (2015-12), “3rd Generation Partnership Project; Technical Specification Group Services and System Aspects; Proximity-based services (ProSe); Stage 2 (Release 13)”, December 2015
【非特許文献２】3GPP TR 23.713 V13.0.0 (2015-09), “3rd Generation Partnership Project; Technical Specification Group Services and System Aspects; Study on extended architecture support for proximity-based services (Release 13)”, September 2015
【非特許文献３】3GPP R1-152778, “Support of UE-Network relays”, Qualcomm Incorporated, May 2015
【非特許文献４】3GPP S2-150925, “UE-to-Network Relay conclusions”, Qualcomm Incorporated, April 2015
【非特許文献５】3GPP R1-153087, “Discussion on UE-to-Network Relay measurement”, Sony, May 2015
【非特許文献６】3GPP R2-152560, “Role of eNB when remote UE is in coverage”, Qualcomm Incorporated, May 2015
【非特許文献７】3GPP R1-151965, “Views on UE-to-Network Relay Discovery”, NTT DOCOMO, April 2015
【非特許文献８】3GPP R1-153188, “Discussion on Relay Selection” , NTT DOCOMO, May 2015
【発明の概要】
【発明が解決しようとする課題】
【００１７】
発明者等は、リレー選択に関する検討を行い、以下に具体的に示される３つの課題を含む幾つかの課題を見出し、これらの課題に対処するための幾つかの改良を考案した。【００１８】
例えば、非特許文献３−８は、D2Dリンク品質及びバックホールリンク品質のいずれか又は両方がリモートUEのためのリレー選択において考慮されることを記載している。具体的には、非特許文献３は、バックホールリンク品質の具体例としてダウンリンク（DL）Reference Signal Received Power（RSRP）及びDL Signal-to-Interference plus Noise Ratio（SINR）を示し、バックホールリンクのDL RSRP又はDL SINRがリレー選択において考慮されることを記載している。しかしながら、非特許文献３−８は、リレーUEからeNBへのアップリンク送信の品質がリレー選択において考慮されることを明示していない。複数のリレーUEは、アップリンク送信の能力（e.g., 最大送信電力）が異なるかもしれない。例えば、LTE ProSeは、public safetyのために高出力（high power）UEを規定している。高出力UEは、EUTRA Band 14を使用し、31 dBm又は33 dBmの最大送信電力を持つ。高出力UEは、通常出力（i.e., 最大送信電力23 dBm）のUEに比べて、良好なアップリンク・スループットを提供できるかもしれない。しかしながら、リレー選択においてバックホールリンクのDL品質（e.g., DL RSRP、DL Reference Signal Received Quality（RSRQ）、DL SINR）を考慮するのみでは、高出力UEを優先的にリモートUEのために選択することは困難である。【００１９】
また、非特許文献３−８は、リレーUEの負荷がリレー選択において考慮されることを記載していない。リレーUEは、複数のリモートUEと接続し、これら複数のリモートUEのデータを中継する。リレーUEに接続されているリモートUE数が増加するにつれて、そのリレーUEが各リモートUEに提供できる実効スループットは低下すると考えられる。したがって、リレー選択においてバックホールリンクの無線品質及びD2Dの無線品質を考慮するのみでは、リモートUEに最適なリレーUEを選択できない可能性がある。【００２０】
また、非特許文献１−８は、リモートUEがリレー選択を行うことを記載している。しかしながら、例えば、リモートUE及びリレーUEが共にカバレッジ内（in-coverage）であるときは、ネットワーク（e.g., eNB、ProSe function）がリレー選択を行うほうがリモートUEによるリレー選択よりも有効であるかもしれない。しかしながら、eNB及びリモートUEの双方がリレー選択機能を持つ場合、これら２つのリレー選択機能のどちらが有効化されるかを仲裁（arbitrate）するための制御手順が必要である。【００２１】
したがって、本明細書に開示される実施形態が達成しようとする目的の１つは、リレーUEの負荷が考慮されたリレー選択を容易にすることに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００２２】
第１の態様では、リレー選択装置は、メモリと、前記メモリに結合された少なくとも１つのプロセッサとを含む。前記少なくとも１つのプロセッサは、第１のリモート端末に適した少なくとも１つの特定のリレー端末を、１又は複数のリレー端末の中から、各リレー端末と接続又は通信している他のリモート端末の数を考慮して選択するよう構成される。各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する。【００２３】
第２の態様では、リレー選択方法は、第１のリモート端末に適した少なくとも１つの特定のリレー端末を、１又は複数のリレー端末の中から、各リレー端末と接続又は通信している他のリモート端末の数を考慮して選択することを含む。ここで、各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する。【００２４】
第３の態様では、プログラムは、コンピュータに読み込まれた場合に、上述の第２の態様に係る方法をコンピュータに行わせるための命令群（ソフトウェアコード）を含む。
【発明の効果】
【００２５】
上述の態様によれば、リレーUEの負荷が考慮されたリレー選択を容易にすることに寄与する装置、方法、及びプログラムを提供できる。
【図面の簡単な説明】
【００２６】
【図１】いくつかの実施形態に係る無線通信ネットワークの構成例を示す図である。
【図２】いくつかの実施形態に係るリレーを開始するための手順の一例を示すシーケンス図である。
【図３】いくつかの実施形態に係るリレーを開始するための手順の一例を示すシーケンス図である。
【図４】第１の実施形態に係るリレー選択手順の一例を示すフローチャートである。
【図５】第１の実施形態に係るリレー選択手順の一例を示すシーケンス図である。
【図６】第１の実施形態に係るリレー選択手順の一例を示すシーケンス図である。
【図７】第２の実施形態に係るリレー選択手順の一例を示すフローチャートである。
【図８】第３の実施形態に係るリレー選択手順の一例を示すフローチャートである。
【図９】第３の実施形態に係るリレー選択手順の一例を示すフローチャートである。
【図１０】第４の実施形態に係るリレー選択手順の一例を示すフローチャートである。
【図１１】第５の実施形態に係るリレー選択手順の一例を示すフローチャートである。
【図１２】第６の実施形態に係るリレー選択主体の切り替え手順の一例を示すシーケンス図である。
【図１３】第６の実施形態に係るリレー選択主体の切り替え手順の一例を示すシーケンス図である。
【図１４】第６の実施形態に係るリレー選択主体の切り替え手順の一例を示すシーケンス図である。
【図１５】いくつかの実施形態に係る無線端末の構成例を示すブロック図である。
【図１６】いくつかの実施形態に係る基地局の構成例を示すブロック図である。
【図１７】いくつかの実施形態に係るD2Dコントローラの構成例を示すブロック図である。
【発明を実施するための形態】
【００２７】
以下では、具体的な実施形態について、図面を参照しながら詳細に説明する。各図面において、同一又は対応する要素には同一の符号が付されており、説明の明確化のため、必要に応じて重複説明は省略される。
【００２８】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００２９】
＜第１の実施形態＞
図１は、本実施形態を含むいくつかの実施形態に係る無線通信ネットワークの構成例を示している。具体的には、図１は、UE-to-Network Relayに関する例を示している。すなわち、リモートUE１は、少なくとも１つの無線トランシーバを有し、D2Dリンク１０２（e.g., PC5インタフェース又はサイドリンク）上で１又は複数のリレーUE２とD2D通信（e.g., ProSeダイレクト・ディスカバリ及びProSeダイレクト通信）を行うよう構成されている。また、図１には示されていないが、リモートUE１は、１又は複数の基地局３により提供されるセルラーカバレッジ３１内においてセルラー通信を行うよう構成されている。
【００３０】
リレーUE２は、少なくとも１つの無線トランシーバを有し、セルラーカバレッジ３１内において基地局３とのセルラーリンク１０１においてセルラー通信を行うとともに、D2Dリンク１０２上でリモートUE１とD2D通信（e.g., ProSeダイレクト・ディスカバリ及びProSeダイレクト通信）を行うよう構成されている。
【００３１】
基地局３は、無線アクセスネットワーク（i.e., E-UTRAN）内に配置されたエンティティであり、１又は複数のセルを含むセルラーカバレッジ３１を提供し、セルラー通信技術（e.g., E-UTRA technology）を用いてリレーUE２とセルラーリンク１０１において通信することができる。さらに、基地局３は、リモートUE１がセルラーカバレッジ３１内にいる場合に、リモートUE１とセルラー通信を行うよう構成されている。
【００３２】
コアネットワーク（i.e., Evolved Packet Core（EPC））４は、複数のユーザープレーン・エンティティ（e.g., Serving Gateway (S-GW)及びPacket Data Network Gateway (P-GW)）、及び複数のコントロールプレーン・エンティティ（e.g., Mobility Management Entity（MME）及びHome Subscriber Server（HSS））を含む。複数のユーザープレーン・エンティティは、基地局３を含む無線アクセスネットワークと外部ネットワークとの間でリモートUE１及びリレーUE２のユーザデータを中継する。複数のコントロールプレーン・エンティティは、リモートUE１及びリレーUE２のモビリティ管理、セッション管理（ベアラ管理）、加入者情報管理、及び課金管理を含む様々な制御を行う。
【００３３】
いくつかの実装において、近接サービス（e.g., 3GPP ProSe）を利用するために、リモートUE１及びリレーUE２は、基地局３及びコアネットワーク４を介してD2Dコントローラ５と通信するよう構成される。例えば、3GPP ProSeの場合、D2Dコントローラ５は、ProSe function エンティティに相当する。リモートUE１及びリレーUE２は、例えば、D2Dコントローラ５によって提供されるネットワークレベル・ディスカバリ（e.g., EPC-level ProSe Discovery）を利用してもよいし、D2D通信（e.g., ProSeダイレクト・ディスカバリ及びProSeダイレクト通信）のリモートUE１及びリレーUE２における起動（有効化、activation）を許可することを示すメッセージをD2Dコントローラ５から受信してもよいし、セルラーカバレッジ３１におけるD2D通信に関する設定情報をD2Dコントローラ５から受信してもよい。
【００３４】
図１の例では、リレーUE２は、UE-to-Network Relayとして動作し、リモートUE１とセルラーネットワーク（基地局３及びコアネットワーク４）の間でのリレー動作をリモートUE１に提供する。言い換えると、リレーUE２は、リモートUE１に関するデータフロー（トラフィック）をリモートUE１とセルラーネットワーク（基地局３及びコアネットワーク４）との間で中継する。これにより、リモートUE１は、リレーUE２及びセルラーネットワーク（基地局３及びコアネットワーク４）を経由して外部ネットワーク６内のノード７と通信することができる。
【００３５】
図１の例では、リモートUE１は、セルラーカバレッジ３１の外に位置している（アウト・オブ・カバレッジ）。しかしながら、既に述べたように、リモートUE１は、セルラーカバレッジ３１内に位置してもよい。幾つかの実装において、リモートUE１は、何らかの条件（e.g., ユーザーによる選択）に基づいてセルラーネットワーク（基地局３及びコアネットワーク４）に接続できない場合に、リレーUE２とのD2D通信（e.g., ダイレクト通信）を行ってもよい。また、幾つかの実装において、リモートUE１は、基地局３のカバレッジ３１内において基地局３と直接的にセルラー通信を行いながら、リレーUE２とのD2D通信をさらに行ってもよい。また、幾つかの実装において、リモートUE１は、基地局３との直接的なセルラー通信（ダイレクトパスと呼ぶ）といずれかのリレーUE２とのD2D通信（リレーパスと呼ぶ）のどちらを使用するかを選択してもよい。リモートUE１は、ダイレクトパスとリレーパスとの間の切り替えを自発的に行ってもよいし、ネットワーク（e.g., 基地局３、D2Dコントローラ５）の指示に従ってこれを行ってもよい。
【００３６】
続いて以下では、本実施形態を含むいくつかの実施形態に係るリレーを開始するための手順について図２及び図３を用いて説明する。リレーを開始するためには、リモートUE１が利用できるリレーUE２を発見するための“リレーディスカバリ”と、発見された１又は複数のリレーUE２の中からリモートUE１に適した少なくとも１つの特定のリレーUEを選択するリレー選択が必要である。リレー選択が行われる前の各リレーUE２は、リレーUE候補と呼ぶこともできる。既に説明したように、リレー選択は、幾つかの実装においてリモートUE１により行われ（i.e., 分散（distributed）リレー選択）、他の実装において基地局３又はD2Dコントローラ５などのネットワーク要素により行われる（i.e., 集中（centralized）リレー選択）。
【００３７】
図２は、分散リレー選択を伴う手順の一例（処理２００）を示している。ステップ２０１では、リモートUE１及びリレーUE２は、リモートUE１がUE-to-Network Relay又はUE-to-UE RelayとしてのリレーUE２を発見するためのリレーディスカバリ手順を実行する。例えば、いわゆるアナウンスメント・モデル（モデルA）に従って、リレーUE２がディスカバリ信号を送信し、リモートUE１はリレーUE２からのディスカバリ信号を検出することによってリレーUE２を発見してもよい。これに代えて、いわゆる依頼（solicitation）／応答（response）モデル（モデルB）に従って、リモートUE１がリレーを希望すること示すディスカバリ信号を送信し、リレーUE２が当該ディスカバリ信号に対する応答メッセージをリモートUE１に送信し、リモートUE１はリレーUE２からの応答メッセージを受信することによってリレーUE２を発見してもよい。
【００３８】
ステップ２０２では、リモートUE１は、ステップ２０１で発見された１又は複数のリレーUE２の中から、適切な少なくとも１つの特定のリレーUE２を選択する。本実施形態に係るリレー選択手順の詳細については後述する。
【００３９】
ステップ２０３では、リモートUE１は、選択された少なくとも１つの特定のリレーUEのいずれかとone-to-one D2D通信（ダイレクト通信）のためのコネクションを確立する。例えば、リモートUE１は、ダイレクト通信要求（又はリレー要求）をリレーUE２に送信してもよい。リレーUE２は、ダイレクト通信要求（又はリレー要求）の受信に応答して、相互認証（mutual authentication）のための手順を開始してもよい。
【００４０】
一方、図３は、集中リレー選択の一例（処理３００）を示している。ステップ３０１では、図２のステップ２０１と同様に、リモートUE１及びリレーUE２は、リモートUE１がUE-to-Network Relay又はUE-to-UE RelayとしてのリレーUE２を発見するためのリレーディスカバリ手順を実行する。
【００４１】
ステップ３０２では、リモートUE１は、測定報告を基地局３に送信する。測定報告は、ステップ３０１で発見された１又は複数のリレーUE２に関し、例えば、D2Dリンク品質（リモートUE１とリレーUE２の間）を含む。D2Dリンク品質は、例えば、受信電力、signal-to-interference plus noise ratio（SINR）、及びデータレート（又はスループット）のうち少なくとも１つを含んでもよい。さらに、測定報告は、既存の測定報告と同様に、リモートUE１と基地局３の間のセルラーリンク品質を含んでもよい。さらに、測定報告は、バックホールリンク品質（基地局３とリレーUE２の間）を含んでもよい。
【００４２】
ステップ３０３では、基地局３は、リモートUE１により発見された１又は複数のリレーUE２の中から、適切な少なくとも１つの特定のリレーUE２を選択する。本実施形態に係るリレー選択手順の詳細については後述する。
【００４３】
ステップ３０４では、基地局３は、選択された特定のリレーUE２への接続をリモートUE１に指示する。ステップ３０５では、リモートUE１は、基地局３から指示に従って、特定のリレーUEとone-to-one D2D通信（ダイレクト通信）のためのコネクションを確立する。
【００４４】
なお、図３の例において、リレー選択（ステップ３０３）は、基地局３とは異なる他のネットワーク要素、例えばD2Dコントローラ５により行われてもよい。
【００４５】
続いて以下では、本実施形態に係るリレー選択手順の具体例について説明する。図４は、本実施形態に係るリレー選択エンティティ（e.g., リモートUE１、基地局３、又はD2Dコントローラ５）によって行われるリレー選択手順の一例（処理４００）を示すフローチャートである。ステップ４０１では、リレー選択エンティティは、１又は複数のリレーUE２の各々のアップリンク品質を取得する。
【００４６】
各リレーUE２のアップリンク品質は、各リレーUE２から基地局３へのアップリンク送信の品質を意味する。いくつかの実装において、各リレーUE２のアップリンク品質は、アップリンク送信の推定スループットであってもよい。当該推定スループットは、各リレーUE２によって計算され、各リレーUE２からリレー選択エンティティに送られてもよい。これに代えて、当該推定スループットは、各リレーUE２から受信した情報を用いて、リレー選択エンティティによって計算されてもよい。例えば、リレー選択エンティティは、各リレーUEのアップリンク品質を推定するために、各リレーUE２の最大送信電力、各リレーUE２と基地局３の間のダウンリンク・パスロス、及び各リレーUE２に割り当てられる単位時間当たりのアップリンク無線リソースを、各リレーUE２から受信してもよい。
【００４７】
いくつかの実装において、各リレーUE２のアップリンク品質は、各リレーUE２のアップリンク送信に適用されるModulation and Coding Scheme（MCS）であってもよい。リレー選択エンティティは、各リレーUE２に適用されるアップリンクMCSを各リレーUE２又は基地局３から取得してもよい。これに代えて、リレー選択エンティティは、リモートUE１に適用されるアップリンクMCS、リモートUE１に割り当てられる単位時間当たりのアップリンク無線リソース、各リレーUE２の最大送信電力、及び各リレーUE２のダウンリンク・パスロス等を用いて、各リレーUE２に適用されるアップリンクMCSを推定してもよい。
【００４８】
いくつかの実装において、各リレーUE２のアップリンク品質は、各リレーUE２に適用されるアップリンクMCSそれ自体であってもよい。上述したように、各リレーUE２に適用されるアップリンクMCSは、リレー選択エンティティによって得られた推定値であってもよい。各リレーUE２に適用されるアップリンクMCS及び単位時間当たりのアップリンク無線リソースから各リレーUE２のアップリンク・スループットを推定できる。したがって、各リレーUE２に適用されるアップリンクMCSは、各リレーUE２のアップリンク・スループットと密接に関係している。
【００４９】
いくつかの実装において、各リレーUE２のアップリンク品質は、送信電力制御の後の各リレーUE２のアップリンク送信電力であってもよい。各リレーUE２からのアップリンク信号の基地局３におけるSINR（アップリンクSINR）は、各リレーUE２のアップリンク送信電力の大きさに依存する。したがって、各リレーUE２のアップリンク送信電力は、各リレーUE２のアップリンク・スループットと密接に関係する。
【００５０】
いくつかの実装において、各リレーUE２のアップリンク品質は、各リレーUE２の最大送信電力を表すパワークラス情報であってもよい。既に説明したように、LTE ProSeは、public safetyのために31 dBm又は33 dBmの最大送信電力を持つ高出力（high power）UEを規定している。最大送信電力31 dBm又は33 dBmの高出力UEは、最大送信電力23 dBmの通常UEとUEパワークラスによって区別される。具体的には、高出力UEのUEパワークラスは“クラス１”であり、高出力UEは、クラス１UE又はクラス１デバイスとも呼ばれる。これに対して、通常UEのUEパワークラスは“クラス３”であり、通常UEは、クラス３UE又はクラス３デバイスとも呼ばれる。高出力UEは、通常出力（i.e., 最大送信電力23 dBm）のUEに比べて、良好なアップリンク・スループットを提供できることが期待できる。したがって、リレー選択エンティティは、各リレーUE２のパワークラス情報を取得し、各リレーUE２のパワークラス情報をリレー選択のために使用してもよい。
【００５１】
図４に戻り説明を続ける。ステップ４０２では、リレー選択エンティティは、各リレーUE２のアップリンク品質を考慮して、リモートUE１に適した少なくとも1つの特定のリレーUE２を選択する。リレー選択エンティティは、１又は複数のリレーUE２の中でアップリンク品質が相対的に高い少なくとも１つのリレーUE２を、リモートUE１のための特定のリレーUE２に選択してもよい。上述のように、例えば、各リレーUE２のアップリンク品質は、（推定された）アップリンク・スループット、（推定された）アップリンクMCS、最大送信電力、又はUEパワークラス、であってもよい。
【００５２】
リレー選択がリモートUE１によって行われる場合のリモートUE１と各リレーUE２とのシグナリングの例について説明する。図５は、リモートUE１によるリレー選択の一例（処理５００）を示すシーケンス図である。ステップ５０１では、各リレーUE２は、選択アシスタンス情報（selection assistance information）をリモートUE１に通知する。各リレーUE２は、リレーディスカバリ手順（e.g., 図２のステップ２０１）において選択アシスタンス情報を送信してもよい。
【００５３】
具体的には、各リレーUE２は、いわゆるアナウンスメント・モデル（モデルA）に従って、選択アシスタンス情報を包含するディスカバリ信号を送信してもよい。これにより、リモートUE１は、ディスカバリ信号を検出することによって各リレーUE２を発見するとともに、当該リレーUE２の選択アシスタンス情報を受信することができる。
【００５４】
選択アシスタンス情報は、各リレーUE２のアップリンク品質情報を含む。リモートUE１は、各リレーUE２から受信した選択アシスタンス情報を用いて、各リレーUE２のアップリンク品質を求める。いくつかの実装において、選択アシスタンス情報は、各リレーUE２によって推定されたアップリンク・スループットを示してもよい。さらに又はこれに代えて、選択アシスタンス情報は、各リレーUE２の最大送信電力、又は各リレーUE２のパワークラスを示してもよい。さらに又はこれに代えて、選択アシスタンス情報は、各リレーUE２のダウンリンク・パスロス、各リレーUE２のアップリンクMCS、若しくは各リレーUE２に割り当てられる単位時間当たりのアップリンク無線リソース、又はこれらの任意の組合せを含んでもよい。
【００５５】
ステップ５０２では、リモートUE１は、各リレーUE２から受信した選択アシスタンス情報を用いて各リレーUE２のアップリンク品質を推定し、推定された各リレーUE２のアップリンク品質を考慮してリレー選択を行う。
【００５６】
図５の例では、各リレーUE２は、選択アシスタンス情報をリモートUE１に知らせるために頻繁に無線信号（e.g., ディスカバリ信号）を送信しなければならず、したがって各リレーUE２の電力消費が大きくなるかもしれない。各リレーUE２による選択アシスタンス情報の送信頻度を低減するために、図６に示されたリレー選択手順（処理６００）が採用されてもよい。ステップ６０１では、リモートUE１は、選択アシスタンス情報の送信要求を包含する無線信号を送信する。ステップ６０２では、各リレーUE２は、当該送信要求を受信したことに応答して、選択アシスタンス情報を包含する無線信号をリモートUE１に送信する。
【００５７】
具体的には、いわゆる依頼（solicitation）／応答（response）モデル（モデルB）に従って、リモートUE１が選択アシスタンス情報の送信要求を包含するディスカバリ信号を送信し、各リレーUE２が選択アシスタンス情報を包含する応答信号をリモートUE１に送信してもよい。これにより、リモートUE１は、応答信号を検出することによって各リレーUE２を発見するとともに、当該リレーUE２の選択アシスタンス情報を受信することができる。
【００５８】
ステップ６０３における処理は、図５のステップ５０２における処理と同様である。すなわち、リモートUE１は、各リレーUE２から受信した選択アシスタンス情報を用いて各リレーUE２のアップリンク品質を推定し、推定された各リレーUE２のアップリンク品質を考慮してリレー選択を行う。
【００５９】
続いて以下では、各リレーUE２のアップリンク品質をリモートUE１において推定する方法のいくつかの具体例を説明する。いくつかの実装において、リレー選択エンティティとしてのリモートUE１は、各リレーUE２のアップリンク品質（e.g., アップリンク・スループット、アップリンクMCS）を推定するために以下のパラメータを使用してもよい：
（ａ）リモートUE１のアップリンク送信電力；
（ｂ）基地局３とリモートUE１との間のダウンリンク・パスロス；
（ｃ）リモートUE１のアップリンク送信に適用されるMCS（アップリンクMCS）；
（ｄ）各リレーUE２の最大送信電力；及び
（ｅ）基地局３と各リレーUE２との間のダウンリンク・パスロス。
【００６０】
より具体的には、リモートUE１は、これらのパラメータを用いる以下の第１又は第２の手順に従って、各リレーUE２のアップリンク・スループット又はアップリンクMCSを推定してもよい。
【００６１】
（第１の手順）
第１ステップでは、リモートUE１は、リモートUE１のアップリンク送信電力（ａ）及び基地局３とリモートUE１との間のダウンリンク・パスロス（ｂ）を用いて、リモートUE１からのアップリンク信号の基地局３における受信電力（第１の受信電力と呼ぶ）を推定する。
【００６２】
第２ステップでは、リモートUE１は、第１の受信電力とリモートUE１のアップリンクMCS（ｃ）とに基づいて、基地局３における干渉及び雑音電力（interference and noise power）の推定値を計算する。なお、一般的に、基地局３のアップリンク・スケジューラは、アップリンク・スループットの観点で最適なアップリンクMCSを選択するためにAdaptive Modulation Coding（AMC）テーブルを使用する。いくつかの実装において、当該AMCテーブルは、基地局３における受信SINR（アップリンクSINR）が入力されると各MCSの推定block error rate（BLER）を返すルックアップ・テーブルである。例えば、基地局３は、リモートUE１からのアップリンク信号の受信SINRを計算し、当該計算されたSINRを当該AMCテーブルに入力することで各MCSの推定BLERを取得し、各MCSの推定BLER及び各MCSのトランスポートブロックサイズ（Transport Block Size（TBS））に基づいて、TTT当たりの想定される瞬時スループット（expected instantaneous throughput pre TTI）を計算する。そして、基地局３は、推定BLERが所要BLER（required BLER）以下であるとの制約条件（constraint）のもとで、 瞬時スループットを最大化するMCSを選択する。したがって、リモートUE１は、基地局３のMCS選択アルゴリズムのために使用されるAMCテーブルを保持し、リモートUE１のアップリンクMCS（ｃ）が最大の瞬時スループットをもたらすであろうアップリンクSINRを推定し、推定アップリンクSINRと上述の第１の受信電力とから干渉及び雑音電力（interference and noise power）を導出してもよい。
【００６３】
第３ステップでは、リモートUE１は、（ｄ）、及び各リレーUE２のダウンリンク・パスロス（ｅ）を用いて、各リレーUE２からのアップリンク信号の基地局３における受信電力（第２の受信電力と呼ぶ）を推定する。
【００６４】
第４ステップでは、リモートUE１は、第２ステップで得られた干渉及び雑音電力の推定値と、第３ステップで得られた第２の受信電力とに基づいて、各リレーUE２からのアップリンク信号の基地局３におけるSINRの推定値を求める。
【００６５】
第５のステップでは、リモートUE１は、第４ステップで得られたSINRの推定値に基づいて、各リレーUE２のアップリンク・スループット又はアップリンクMCSを推定する。
【００６６】
当該第５のステップでは、いくつかの実装において、リモートUE１は、以下のシャノン容量式（Shannon capacity formula）に従って、スループットの推定値Ｃを求めてもよい：
C = BW log2(1+SINR)   (1),  
ここで、BWはリレーUE２が使用可能なアップリンク通信帯域である。簡単化のために、BWは、リモートUE１に単位時間当たりに割り当てられるアップリンク無線リソース（e.g., 帯域幅、リソースブロック数）に基づいてもよい。
【００６７】
これに代えて、当該第５のステップでは、リモートUE１は、基地局３と同様のAMCテーブルに基づいて、第４ステップで得られたSINRの推定値から各リレーUE２のアップリンクMCSを推定してもよい。リモートUE１は、各リレーUE２のアップリンクMCSをリモートUE１又は各リレーUE２の単位時間当たりアップリンク無線リソースに乗算し、これにより各リレーUE２のアップリンク・スループットをさらに推定してもよい。
【００６８】
（第２の手順）
第２の手順の第１ステップは、上述の第１の手順の第１ステップと同様である。すなわち、第１ステップでは、リモートUE１は、リモートUE１のアップリンク送信電力（ａ）及び基地局３とリモートUE１との間のダウンリンク・パスロス（ｂ）を用いて、リモートUE１からのアップリンク信号の基地局３における受信電力（第１の受信電力と呼ぶ）を推定する。
【００６９】
第２の手順の第２のステップは、上述の第１の手順の第３ステップと同様である。すなわち、リモートUE１は、（ｄ）、及び各リレーUE２のダウンリンク・パスロス（ｅ）を用いて、各リレーUE２からのアップリンク信号の基地局３における受信電力（第２の受信電力と呼ぶ）を推定する。
【００７０】
第３ステップでは、リモートUE１は、第１の受信電力と第２の受信電力の違い（difference）に応じてリモートUE１のアップリンクMCSを補正（調整）することによって、各リレーUE２の推定アップリンクMCSを計算する。具体的には、第２の受信電力が第１の受信電力よりも第１の閾値を超えて大きい場合、リモートUE１は、リモートUE１のアップリンクMCSを増加することによって、各リレーUE２の推定アップリンクMCSを求める。これと反対に、第２の受信電力が第１の受信電力よりも第２の閾値を超えて小さい場合、リモートUE１は、リモートUE１のアップリンクMCSを減少することによって、各リレーUE２の推定アップリンクMCSを求める。また、第２の受信電力が第１の受信電力と同等レベル（第１の閾値と第２の閾値の間）である場合、リモートUE１は、各リレーUE２の推定アップリンクMCSをリモートUE１のアップリンクMCSと同じ値に決定する。なお、ここで、MCSを増加することは、より高い変調方式（より小さいシンボル間距離(iner-symbol distance)を持つ変調方式）を採用すること、若しくはより高い符号化率（より小さい冗長ビット数）を採用すること、又はこれら両方を含む。
【００７１】
リモートUE１は、第３ステップで得られた各リレーUE２のアップリンクMCSをリモートUE１又は各リレーUE２の単位時間当たりアップリンク無線リソースに乗算し、これにより各リレーUE２のアップリンク・スループットをさらに推定してもよい。
【００７２】
以上の説明から理解されるように、本実施形態では、リレー選択エンティティ（e.g., リモートUE１、基地局３、又はD2Dコントローラ５）は、リモートUE１のためのリレー選択において各リレーUE２のアップリンク品質を考慮する。したがって、本実施形態に係るリレー選択エンティティは、例えば、良好なアップリンク・スループットをリモートUE１に提供できるリレーUE２をリモートUE１のために選択することができる。このようなバックホールのアップリンクスループットに基づくリレー選択手順は、特に、複数のリレーUE２のアップリンク送信能力（e.g., 最大送信電力）が互いに異なる場合に有効である。
【００７３】
＜第２の実施形態＞
本実施形態では、第１の実施形態で説明されたリレー選択手順の変形例が説明される。本実施形態に係る無線通信ネットワークの構成例およびリレー開始手順例は、図１〜図３と同様である。
【００７４】
本実施形態では、リレー選択エンティティ（e.g., リモートUE１、基地局３、又はD2Dコントローラ５）は、リモートUE１のためのリレー選択において、リモートUE１と各リレーUE２との間のD2Dリンク品質を各リレーUE２のアップリンク品質に加えてさらに考慮する。D2Dリンク品質は、例えば、リモートUE１によって測定された各リレーUE２からの無線信号（e.g., ディスカバリ信号）の受信電力、SINR、及びデータレート（又はスループット）のうち少なくとも１つを含んでもよい。さらに、測定報告は、既存の測定報告と同様に、リモートUE１と基地局３の間のセルラーリンク品質を含んでもよい。さらに、測定報告は、バックホールリンク品質（基地局３とリレーUE２の間）を含んでもよい。
【００７５】
例えば、リレー選択エンティティは、各リレーUE２の通信品質Qの評価のために以下の式（２）を用いてもよい：
Q = w * D2D link quality + (1-w) * backhaul link quality    (2),
ここで、wは予め設定される定数である。また、式（２）における“backhaul link quality”は、アップリンク品質を含む。式（２）における“backhaul link quality”は、ダウンリンク品質をさらに含んでもよい。
【００７６】
これに代えて、リレー選択エンティティは、各リレーUE２の通信品質Qの評価のために以下の式（３）を用いてもよい：
Q = MIN (D2D link quality, backhaul link quality)    (3),
ここで、MIN関数は、複数の引数のうちの最小値を返す関数である。
【００７７】
図７は、本実施形態に係るリレー選択エンティティ（e.g., リモートUE１、基地局３、又はD2Dコントローラ５）によって行われるリレー選択手順の一例（処理７００）を示すフローチャートである。ステップ７０１における処理は、図４のステップ４０１における処理と同様である。すなわち、リレー選択エンティティは、１又は複数のリレーUE２の各々のアップリンク品質を取得する。ステップ７０２では、リレー選択エンティティは、各リレーUE２とリモートUE１の間のD2Dリンク品質を取得する。ステップ７０３では、リレー選択エンティティは、各リレーUE２のアップリンク品質及びD2Dリンク品質を共に考慮して、リモートUE１に適した少なくとも1つの特定のリレーUE２を選択する。リレー選択エンティティは、上述の式（２）又は式（３）に基づいて計算された通信品質Qが所定の閾値以上である１又は複数のリレーUE２を、リモートUE１のための特定のリレーUE２に選択してもよい。
【００７８】
以上の説明から理解されるように、本実施形態では、リレー選択エンティティ（e.g., リモートUE１、基地局３、又はD2Dコントローラ５）は、リモートUE１のためのリレー選択において各リレーUE２のアップリンク品質及びD2Dリンク品質を考慮する。これにより、リモートUE１のためのリレー選択において、例えば、良好なアップリンク品質を提供できるが他のリレーUE２に比べて相対的に低いD2Dリンク品質しか提供できないリレーUE２の優先度を下げることができる。
【００７９】
＜第３の実施形態＞
本実施形態に係る無線通信ネットワークの構成例およびリレー開始手順例は、図１〜図３と同様である。本実施形態では、リレー選択エンティティ（e.g., リモートUE１、基地局３、又はD2Dコントローラ５）は、リモートUE１のためのリレー選択において、各リレーUE２の負荷を考慮する。各リレーUE２の負荷は、各リレーUE２に接続している（又は各リレーUE２と通信している）リモートUE１の数であってもよい。
【００８０】
１つのリレーUE２に接続している（又は各リレーUE２と通信している）リモートUE１の数が増加するにつれて、そのリレーUE２が各リモートUE１に提供できる実効スループットは低下すると考えられる。したがって、リレー選択エンティティは、接続している又は通信しているリモートUE１の数が小さいリレーUE２ほど、リモートUE１のために優先的に選択してもよい。これにより、リレー選択エンティティは、より高い実効スループットを新たなリモートUE１に提供できるリレーUE２を、当該リモートUE１のために選択することができる。
【００８１】
より具体的には、リレー選択エンティティは、各リレーUE２のD2Dリンク品質を評価する際に、各リレーUE２に接続している（又は各リレーUE２と通信している）リモートUE１の数をさらに考慮してもよい。さらに又はこれに代えて、リレー選択エンティティは、各リレーUE２のバックホールリンク品質を評価する際に、各リレーUE２に接続している（又は各リレーUE２と通信している）リモートUE１の数をさらに考慮してもよい。ここで、バックホールリンク品質は、アップリンク品質若しくはダウンリンク品質又はこれら両方であってもよい。
【００８２】
例えば、リレー選択エンティティは、各リレーUE２のD2Dリンク品質を除数 (N+1)で割ることによって、新たな１つのリモートUE１が享受できる各リレーUE２のD2Dリンク品質を評価してもよい。ここで、Nは、各リレーUE２に接続している（又は各リレーUE２と通信している）リモートUE１の数を表す。同様に、リレー選択エンティティは、各リレーUE２のバックホールリンク品質を除数 (N+1)で割ることによって、新たな１つのリモートUE１が享受できる各リレーUE２のバックホールリンク品質を評価してもよい。
【００８３】
図８は、本実施形態に係るリレー選択エンティティ（e.g., リモートUE１、基地局３、又はD2Dコントローラ５）によって行われるリレー選択手順の一例（処理８００）を示すフローチャートである。ステップ８０１では、リレー選択エンティティは、各リレーUE２に接続している（又は各リレーUE２と通信している）リモートUE１の数を取得する。例えば、リレー選択エンティティとしてのリモートUE１は、接続している又は通信しているリモートUE１の数を示す選択アシスタンス情報をD2Dリンク１０２上で各リレーUE２から受信してもよい。
【００８４】
ステップ８０２では、リレー選択エンティティは、各リレーUE２に接続している（又は各リレーUE２と通信している）リモートUE１の数を考慮して、リモートUE１に適した少なくとも1つの特定のリレーUE２を選択する。
【００８５】
図９は、本実施形態に係るリレー選択エンティティによって行われるリレー選択手順の他の例（処理９００）を示すフローチャートである。ステップ９０１における処理は、図８のステップ８０１における処理と同様である。ステップ９０２における処理は、図４のステップ４０１における処理と同様である。すなわち、リレー選択エンティティは、１又は複数のリレーUE２の各々のアップリンク品質を取得する。なお、リレー選択エンティティは、リモートUE１の数（ステップ９０１）及びアップリンク品質（ステップ９０２）を同時に取得してもよい。例えば、リレー選択エンティティとしてのリモートUE１は、リモートUE１の数及びアップリンク品質を共にを示す選択アシスタンス情報をD2Dリンク１０２上で各リレーUE２から受信してもよい。
【００８６】
ステップ９０３では、リレー選択エンティティは、各リレーUE２のリモートUE１の数及びアップリンク品質を共に考慮して、リモートUE１に適した少なくとも1つの特定のリレーUE２を選択する。既に説明したように、例えば、リレー選択エンティティは、各リレーUE２のアップリンク品質を除数 (N+1)で割ることによって、新たな１つのリモートUE１が享受できる各リレーUE２のバックホールリンク品質を評価してもよい。
【００８７】
＜第４の実施形態＞
本実施形態に係る無線通信ネットワークの構成例およびリレー開始手順例は、図１〜図３と同様である。本実施形態では、リレー選択エンティティ（e.g., リモートUE１、基地局３、又はD2Dコントローラ５）は、リモートUE１と基地局３との間の直接的な無線リンクの品質をさらに考慮して、いずれかのリレーUE２を介するリレー経路と直接的な無線リンクのどちらをリモートUE１の通信のために使用するかを決定する。具体的には、リレー選択エンティティは、いずれかのリレーUE２を介するリレー経路の品質（e.g., 推定スループット）よりも直接的な無線リンクの品質（e.g., 推定スループット）が高い場合に、直接的な無線リンクをリモートUE１の通信のために使用することを決定してもよい。これにより、複数のリレー経路及び直接的な無線リンクのうちリモートUE１のために最適な経路を選択することができる。
【００８８】
図１０は、本実施形態に係るリレー選択エンティティ（e.g., リモートUE１、基地局３、又はD2Dコントローラ５）によって行われるリレー選択手順の一例（処理１０００）を示すフローチャートである。ステップ１００１では、リレー選択エンティティは、各リレー経路のスループットを取得する。リレー経路のスループットは、D2Dリンクの推定スループット、バックホールリンク（アップリンク若しくはダウンリンク又は両方）の推定スループット、又はこれらの組合せであってもよい。ステップ１００２では、リレー選択エンティティは、リモートUEと基地局３との間の直接的な無線リンク（ダイレクトパス）のスループットを取得する。ダイレクトパスのスループットは、アップリンク若しくはダウンリンク又は両方のスループットであってもよい。
【００８９】
ステップ１００３では、リレー選択エンティティは、リレーパスのスループット及びダイレクトパスのスループットを考慮して、リレーパスとダイレクトパスのどちらをリモートUE１のために使用するかを決定する。具体的には、リレー選択エンティティは、１又は複数のリレーパスの推定スループット及びダイレクトパスの推定スループットの間で比較し、最良の推定スループットに対応するパスをリモートUE１のために選択してもよい。
【００９０】
＜第５の実施形態＞
本実施形態では、第１〜第４の実施形態で説明されたリレー選択手順の変形例が説明される。本実施形態に係る無線通信ネットワークの構成例およびリレー開始手順例は、図１〜図３と同様である。
【００９１】
本実施形態では、リモートUE１は、複数のD2Dリンクを同時に用いて、複数のリレーUE２と通信できる。さらに、リレー選択エンティティ（e.g., リモートUE１、基地局３、又はD2Dコントローラ５）は、リモートUE１の要求スループットを達成するために、複数の特定のリレーUE２をリモートUE１のために選択する。なお、リレー選択エンティティは、１又は複数のリレーパス及びリモートUEと基地局３との間のダイレクトパスを含む複数のパスの中から、２以上のパスをリモートUE１のために選択してもよい。これにより、各パスのスループットがリモートUE１の要求スループットに満たない場合に、複数のパスを同時に使用することで要求スループットを達成できる。
【００９２】
図１１は、本実施形態に係るリレー選択エンティティ（e.g., リモートUE１、基地局３、又はD2Dコントローラ５）によって行われるリレー選択手順の一例（処理１１００）を示すフローチャートである。ステップ１１０１では、リレー選択エンティティは、各リレーUE２のアップリンク品質を取得する。ステップ１１０２では、リレー選択エンティティは、リモートUE１の要求スループットを達成するために、各リレーUE２のアップリンク品質を考慮して、複数の特定のリレーUE２をリモートUE１のために選択する。なお、これまでの説明から理解されるように、ステップ１１０１で取得され且つステップ１１０２で考慮される各リレーUE２の通信品質に関するパラメータは、アップリンク品質、ダウンリンク品質、D2Dリンク品質、若しくはリレーUE２の負荷、又はこれらの任意の組合せであってもよい。
【００９３】
＜第６の実施形態＞
本実施形態に係る無線通信ネットワークの構成例およびリレー開始手順例は、図１〜図３と同様である。本実施形態では、リモートUE１及びネットワーク（e.g., 基地局３、D2Dコントローラ５）の両方がセル選択機能を持つ場合に、これら２つのリレー選択機能のどちらが有効化されるかを仲裁（arbitrate）するための制御手順が説明される。
【００９４】
本実施形態では、リモートUE１が基地局３のセルラーカバレッジ３１内に存在する場合に、ネットワーク（e.g., 基地局３、D2Dコントローラ５）に配置されたリレー選択エンティティが、リモートUE１のリレー選択エンティティよりも優先される。リモートUE１と基地局３の間の無線リンク品質が低下した場合、リモートUE１のリレー選択機能が有効化され、リレー選択の権限がネットワークからリモートUE１に移される。
【００９５】
図１２は、リレー選択主体の切り替え手順の一例（処理１２００）を示すフローチャートである。ステップ１２０１では、リモートUE１は、ダウンリンク品質（e.g., DL RSRP、DL RSRQ、DL SINR）の劣化を検出する。例えば、リモートUE１は、ダウンリンク品質が所定の閾値より低いことを検出してもよい。ステップ１２０２では、リモートUE１は、リモートUE１による自発的な（autonomous）リレー選択を有効化し、当該自発的なリレー選択の有効化を基地局３に通知する。ステップ１２０３では、基地局３は、ステップ１２０２の通知を受信したことに応答して、受取通知（acknowledgement）をリモートUE１に送信してもよい。
【００９６】
図１３は、リレー選択主体の切り替え手順の他の例（処理１３００）を示すフローチャートである。ステップ１３０１における処理は、図１２のステップ１２０１における処置と同様である。ステップ１３０２では、リモートUE１は、リレー選択を行うことの許可を求める要求メッセージを基地局３に送信する。基地局３は、リモートUE１からの受信に応答して、当該リモートUE１によるリレー選択を有効化するか否かを決定する。リレー選択の有効化を認める場合、基地局３は、リレー選択の実行許可をリモートUE１に送信する（ステップ１３０３）。リモートUE１は、リレー選択の実行許可を受信したことに応答して、リモートUE１による自発的な（autonomous）リレー選択を有効化する。
【００９７】
図１４は、リレー選択主体の切り替え手順のさらに他の例（処理１４００）を示すフローチャートである。ステップ１４０１では、基地局３は、リモートUE１のアップリンク品質又はダウンリンク品質の劣化を検出する。例えば、基地局３は、リモートUE１のアップリンク品質又はダウンリンク品質が所定の閾値より低いことを検出してもよい。リモートUE１のアップリンク品質又はダウンリンク品質の劣化を検出したことに応答して、基地局３は、リレー選択の実行許可をリモートUE１に送信する（ステップ１４０２）。リモートUE１は、リレー選択の実行許可を受信したことに応答して、リモートUE１による自発的な（autonomous）リレー選択を有効化する。
【００９８】
本実施形態で説明されたリレー選択主体の切り替え手順は、ネットワーク（e.g., 基地局３、D2Dコントローラ５）及びリモートUE１に配置された２つのリレー選択機能のどちらが有効化されるかを仲裁（arbitrate）することができる。
【００９９】
最後に、上述の複数の実施形態に係るリモートUE１、リレーUE２、基地局３、及びD2Dコントローラ５の構成例について説明する。図１５は、リモートUE１の構成例を示すブロック図である。リレーUE２も、図１５に示されているのと同様の構成を有してもよい。Radio Frequency（RF）トランシーバ１５０１は、基地局３と通信するためにアナログRF信号処理を行う。RFトランシーバ１５０１により行われるアナログRF信号処理は、周波数アップコンバージョン、周波数ダウンコンバージョン、及び増幅を含む。RFトランシーバ１５０１は、アンテナ１５０２及びベースバンドプロセッサ１５０３と結合される。すなわち、RFトランシーバ１５０１は、変調シンボルデータ（又はOFDMシンボルデータ）をベースバンドプロセッサ１５０３から受信し、送信RF信号を生成し、送信RF信号をアンテナ１５０２に供給する。また、RFトランシーバ１５０１は、アンテナ１５０２によって受信された受信ＲＦ信号に基づいてベースバンド受信信号を生成し、これをベースバンドプロセッサ１５０３に供給する。
【０１００】
ベースバンドプロセッサ１５０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【０１０１】
例えば、LTEおよびLTE-Advancedの場合、ベースバンドプロセッサ１５０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１５０３によるコントロールプレーン処理は、Non-Access Stratum（NAS）プロトコル、RRCプロトコル、及びMAC CEの処理を含んでもよい。
【０１０２】
ベースバンドプロセッサ１５０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１５０４と共通化されてもよい。
【０１０３】
アプリケーションプロセッサ１５０４は、CPU、MPU、マイクロプロセッサ、又はプロセッサコアとも呼ばれる。アプリケーションプロセッサ１５０４は、複数のプロセッサ（複数のプロセッサコア）を含んでもよい。アプリケーションプロセッサ１５０４は、メモリ１５０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、リモートUE１の各種機能を実現する。
【０１０４】
いくつかの実装において、図１５に破線（１５０５）で示されているように、ベースバンドプロセッサ１５０３及びアプリケーションプロセッサ１５０４は、１つのチップ上に集積されてもよい。言い換えると、ベースバンドプロセッサ１５０３及びアプリケーションプロセッサ１５０４は、１つのSystem on Chip（SoC）デバイス１５０５として実装されてもよい。SoCデバイスは、システムLarge Scale Integration（LSI）またはチップセットと呼ばれることもある。
【０１０５】
メモリ１５０６は、揮発性メモリ若しくは不揮発性メモリ又はこれらの組合せである。メモリ１５０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１５０６は、ベースバンドプロセッサ１５０３、アプリケーションプロセッサ１５０４、及びSoC１５０５からアクセス可能な外部メモリデバイスを含んでもよい。メモリ１５０６は、ベースバンドプロセッサ１５０３内、アプリケーションプロセッサ１５０４内、又はSoC１５０５内に集積された内蔵メモリデバイスを含んでもよい。さらに、メモリ１５０６は、Universal Integrated Circuit Card（UICC）内のメモリを含んでもよい。
【０１０６】
メモリ１５０６は、上述の複数の実施形態で説明されたリモートUE１による処理を行うための命令群およびデータを含むソフトウェアモジュール（コンピュータプログラム）を格納してもよい。いくつかの実装において、ベースバンドプロセッサ１５０３又はアプリケーションプロセッサ１５０４は、当該ソフトウェアモジュールをメモリ１５０６から読み出して実行することで、上述の実施形態でシーケンス図及びフローチャートを用いて説明されたリモートUE１の処理を行うよう構成されてもよい。
【０１０７】
図１６は、上述の実施形態に係る基地局３の構成例を示すブロック図である。図１６を参照すると、基地局３は、RFトランシーバ１６０１、ネットワークインターフェース１６０３、プロセッサ１６０４、及びメモリ１６０５を含む。RFトランシーバ１６０１は、リモートUE１及びリレーUE２と通信するためにアナログRF信号処理を行う。RFトランシーバ１６０１は、複数のトランシーバを含んでもよい。RFトランシーバ１６０１は、アンテナ１６０２及びプロセッサ１６０４と結合される。RFトランシーバ１６０１は、変調シンボルデータ（又はOFDMシンボルデータ）をプロセッサ１６０４から受信し、送信RF信号を生成し、送信RF信号をアンテナ１６０２に供給する。また、RFトランシーバ１６０１は、アンテナ１６０２によって受信された受信ＲＦ信号に基づいてベースバンド受信信号を生成し、これをプロセッサ１６０４に供給する。
【０１０８】
ネットワークインターフェース１６０３は、ネットワークノード（e.g., Mobility Management Entity (MME)およびServing Gateway (S-GW)）と通信するために使用される。ネットワークインターフェース１６０３は、例えば、IEEE 802.3 seriesに準拠したネットワークインターフェースカード（NIC）を含んでもよい。
【０１０９】
プロセッサ１６０４は、無線通信のためのデジタルベースバンド信号処理（データプレーン処理）とコントロールプレーン処理を行う。例えば、LTEおよびLTE-Advancedの場合、プロセッサ１６０４によるデジタルベースバンド信号処理は、PDCPレイヤ、RLCレイヤ、MACレイヤ、およびPHYレイヤの信号処理を含んでもよい。また、プロセッサ１６０４によるコントロールプレーン処理は、S1プロトコル、RRCプロトコル、及びMAC CEの処理を含んでもよい。
【０１１０】
プロセッサ１６０４は、複数のプロセッサを含んでもよい。例えば、プロセッサ１６０４は、デジタルベースバンド信号処理を行うモデム・プロセッサ（e.g., DSP）とコントロールプレーン処理を行うプロトコルスタック・プロセッサ（e.g., CPU又はMPU）を含んでもよい。
【０１１１】
メモリ１６０５は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１６０５は、プロセッサ１６０４から離れて配置されたストレージを含んでもよい。この場合、プロセッサ１６０４は、ネットワークインターフェース１６０３又は図示されていないI/Oインタフェースを介してメモリ１６０５にアクセスしてもよい。
【０１１２】
メモリ１６０５は、上述の複数の実施形態で説明された基地局３による処理を行うための命令群およびデータを含むソフトウェアモジュール（コンピュータプログラム）を格納してもよい。いくつかの実装において、プロセッサ１６０４は、当該ソフトウェアモジュールをメモリ１６０５から読み出して実行することで、上述の実施形態でシーケンス図及びフローチャートを用いて説明された基地局３の処理を行うよう構成されてもよい。
【０１１３】
図１７は、上述の実施形態に係るD2Dコントローラ５の構成例を示すブロック図である。図１７を参照すると、D2Dコントローラ５は、ネットワークインターフェース１７０１、プロセッサ１７０２、及びメモリ１７０３を含む。ネットワークインターフェース１７０１は、リモートUE１及びリレーUE２と通信するために使用される。ネットワークインターフェース１７０１は、例えば、IEEE 802.3 seriesに準拠したネットワークインタフェースカード（NIC）を含んでもよい。
【０１１４】
プロセッサ１７０２は、メモリ１７０３からソフトウェア（コンピュータプログラム）を読み出して実行することで、上述の実施形態においてシーケンス図及びフローチャートを用いて説明されたD2Dコントローラ５の処理を行う。プロセッサ１７０２は、例えば、マイクロプロセッサ、MPU、又はCPUであってもよい。プロセッサ１７０２は、複数のプロセッサを含んでもよい。
【０１１５】
メモリ１７０３は、揮発性メモリ及び不揮発性メモリの組み合わせによって構成される。メモリ１７０３は、プロセッサ１７０２から離れて配置されたストレージを含んでもよい。この場合、プロセッサ１７０２は、図示されていないI/Oインタフェースを介してメモリ１７０３にアクセスしてもよい。
【０１１６】
図１７の例では、メモリ１７０３は、D2D通信のための制御モジュールを含むソフトウェアモジュール群を格納するために使用される。プロセッサ１７０２は、これらのソフトウェアモジュール群をメモリ１７０３から読み出して実行することで、上述の実施形態において説明されたD2Dコントローラ５の処理を行うことができる。
【０１１７】
図１５〜図１７を用いて説明したように、上述の実施形態に係るリモートUE１、リレーUE２、基地局３、及びD2Dコントローラ５が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１８】
＜その他の実施形態＞
上述の実施形態は、各々独立に実施されてもよいし、適宜組み合わせて実施されてもよい。
【０１１９】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１２０】
例えば、上記の実施形態の一部又は全部は、以下の付記のようにも記載され得るが、以下には限られない。
【０１２１】
（付記Ａ１）
メモリと、
前記メモリに結合された少なくとも１つのプロセッサと、
を備え、
前記少なくとも１つのプロセッサは、１又は複数のリレー端末の各々から基地局へのアップリンク送信の品質を考慮して、前記１又は複数のリレー端末の中から第１のリモート端末に適した少なくとも１つの特定のリレー端末を選択するよう構成されている、
各特定のリレー端末は、各特定のリレー端末と前記第１のリモート端末との間のデバイス・ツー・デバイス（Ｄ２Ｄ）リンク及び各特定のリレー端末と前記基地局との間のバックホールリンクを介して、前記第１のリモート端末と前記基地局との間でトラフィックを中継する、
リレー選択装置。
【０１２２】
（付記Ａ２）
前記少なくとも１つのプロセッサは、各リレー端末の最大送信電力を表すパワークラス情報を用いて、前記アップリンク送信の品質を判定するよう構成されている、
付記Ａ１に記載のリレー選択装置。
【０１２３】
（付記Ａ３）
前記少なくとも１つのプロセッサは、各リレー端末の最大送信電力、前記基地局と各リレー端末との間のダウンリンク・パスロス、及び各リレー端末に割り当てられる単位時間当たりのアップリンク無線リソースを用いて、各リレー端末の前記アップリンク送信の品質を計算するよう構成されている、
付記Ａ１又はＡ２に記載のリレー選択装置。
【０１２４】
（付記Ａ４）
前記アップリンク送信の品質は、各リレー端末の前記アップリンク送信の推定スループットを含む、
付記Ａ１又はＡ２に記載のリレー選択装置。
【０１２５】
（付記Ａ５）
前記アップリンク送信の品質は、各リレー端末の前記アップリンク送信に適用されるModulation and Coding Scheme（MCS）の推定値を含む、
付記Ａ１、Ａ２、又はＡ４に記載のリレー選択装置。
【０１２６】
（付記Ａ６）
前記少なくとも１つのプロセッサは、
（ａ）前記第１のリモート端末のアップリンク送信電力、
（ｂ）前記基地局と前記第１のリモート端末との間のダウンリンク・パスロス、
（ｃ）前記第１のリモート端末のModulation and Coding Scheme（MCS）、
（ｄ）各リレー端末の最大送信電力、及び
（ｅ）前記基地局と各リレー端末との間のダウンリンク・パスロス、
を用いて、各リレー端末の前記アップリンク送信の推定スループット、又は各リレー端末の前記アップリンク送信に適用される推定MCSを計算するよう構成されている、
付記Ａ４又はＡ５に記載のリレー選択装置。
【０１２７】
（付記Ａ７）
前記少なくとも１つのプロセッサは、
前記第１のリモート端末のアップリンク送信電力、前記基地局と前記第１のリモート端末との間のダウンリンク・パスロス、及び前記第１のリモート端末のMCSを用いて、前記基地局における干渉及び雑音電力の推定値を計算し、
前記干渉及び雑音電力の推定値、各リレー端末の最大送信電力、及び前記基地局と各リレー端末との間のダウンリンク・パスロスを用いて、各リレー端末の前記推定MCS又は前記推定スループットを計算する、
よう構成されている、
付記Ａ６に記載のリレー選択装置。
【０１２８】
（付記Ａ８）
前記少なくとも１つのプロセッサは、
前記第１のリモート端末のアップリンク送信電力、及び前記基地局と前記第１のリモート端末との間のダウンリンク・パスロスに基づいて、前記第１のリモート端末からのアップリンク信号の前記基地局における第１の受信電力を計算し、
各リレー端末の最大送信電力、及び前記基地局と各リレー端末との間のダウンリンク・パスロスを用いて、各リレー端末からのアップリンク信号の前記基地局における第２の受信電力を計算し、
前記第１の受信電力と前記第２の受信電力の違いに応じて前記第１のリモート端末のModulation and Coding Scheme（MCS）を補正することによって、各リレー端末の前記推定MCSを計算する、
よう構成されている、
付記Ａ６に記載のリレー選択装置。
【０１２９】
（付記Ａ９）
前記少なくとも１つのプロセッサは、前記少なくとも１つの特定のリレー端末を選択するために、前記第１のリモート端末と各リレー端末との間のＤ２Ｄリンクの品質をさらに考慮するよう構成されている、
付記Ａ１〜Ａ８のいずれか１項に記載のリレー選択装置。
【０１３０】
（付記Ａ１０）
前記少なくとも１つのプロセッサは、前記第１のリモート端末から前記基地局への直接的なアップリンク送信の品質をさらに考慮して、前記１又は複数のリレー端末のいずれかを介するリレー経路と、前記第１のリモート端末と前記基地局との間の直接的な無線リンクのどちらを前記第１のリモート端末の通信のために使用するかを決定するよう構成されている、
付記Ａ１〜Ａ９のいずれか１項に記載のリレー選択装置。
【０１３１】
（付記Ａ１１）
前記第１のリモート端末は、複数のＤ２Ｄリンクを同時に用いて通信できるよう構成され、
前記少なくとも１つのプロセッサは、前記第１のリモート端末の要求スループットを達成するために、複数の特定のリレー端末を選択するよう構成されている、
付記Ａ１〜Ａ１０のいずれか１項に記載のリレー選択装置。
【０１３２】
（付記Ａ１２）
前記少なくとも１つのプロセッサは、前記少なくとも１つの特定のリレー端末を選択するために、各リレー端末と接続又は通信している他のリモート端末の数を考慮するよう構成されている、
付記Ａ１〜Ａ１１のいずれか１項に記載のリレー選択装置。
【０１３３】
（付記Ａ１３）
前記少なくとも１つのプロセッサは、前記他のリモート端末の数が小さいリレー端末ほど前記少なくとも１つの特定のリレー端末に優先的に選択するよう構成されている、
付記Ａ１２のリレー選択装置。
【０１３４】
（付記Ａ１４）
前記少なくとも１つのプロセッサは、
各リレー端末の前記アップリンク送信の推定スループット及び各リレー端末の前記他のリモート端末の数を用いて、前記第１のリモート端末が利用できる実効スループットを推定し、
前記実効スループットに基づいて前記少なくとも１つの特定のリレー端末を選択するよう構成されている、
付記Ａ１２又はＡ１３に記載のリレー選択装置。
【０１３５】
（付記Ａ１５）
前記リレー選択装置は、前記第１のリモート端末に配置される、
付記Ａ１〜Ａ１４のいずれか１項に記載のリレー選択装置。
【０１３６】
（付記Ａ１６）
１又は複数のリレー端末の各々から基地局へのアップリンク送信の品質を考慮して、前記１又は複数のリレー端末の中から第１のリモート端末に適した少なくとも１つの特定のリレー端末を選択することを備え、ここで、各特定のリレー端末は、各特定のリレー端末と前記第１のリモート端末との間のデバイス・ツー・デバイス（Ｄ２Ｄ）リンク及び各特定のリレー端末と前記基地局との間のバックホールリンクを介して、前記第１のリモート端末と前記基地局との間でトラフィックを中継する、
リレー選択方法。
【０１３７】
（付記Ａ１７）
各リレー端末の最大送信電力を表すパワークラス情報を用いて、前記アップリンク送信の品質を判定することをさらに備える、
付記Ａ１６に記載のリレー選択方法。
【０１３８】
（付記Ａ１８）
各リレー端末の最大送信電力、前記基地局と各リレー端末との間のダウンリンク・パスロス、及び各リレー端末に割り当てられる単位時間当たりのアップリンク無線リソースを用いて、各リレー端末の前記アップリンク送信の品質を計算することをさらに備える、
付記Ａ１６に記載のリレー選択方法。
【０１３９】
（付記Ａ１９）
前記アップリンク送信の品質は、各リレー端末の前記アップリンク送信に適用されるModulation and Coding Scheme（MCS）の推定値を含む、
付記Ａ１６又はＡ１７に記載のリレー選択方法。
【０１４０】
（付記Ａ２０）
リレー選択方法をコンピュータに行わせるためのプログラムであって、
前記リレー選択方法は、１又は複数のリレー端末の各々から基地局へのアップリンク送信の品質を考慮して、前記１又は複数のリレー端末の中から第１のリモート端末に適した少なくとも１つの特定のリレー端末を選択することを備え、ここで、各特定のリレー端末は、各特定のリレー端末と前記第１のリモート端末との間のデバイス・ツー・デバイス（Ｄ２Ｄ）リンク及び各特定のリレー端末と前記基地局との間のバックホールリンクを介して、前記第１のリモート端末と前記基地局との間でトラフィックを中継する、
プログラム。
【０１４１】
（付記Ｂ１）
基地局を含むネットワークに配置される制御装置であって、
メモリと、
前記メモリに結合された少なくとも１つのプロセッサと、
を備え、
前記少なくとも１つのプロセッサは、前記ネットワークと無線端末のどちらがリレー選択を実行するかを切り替えるための制御信号を前記無線端末に送信するよう構成され、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記基地局との間のバックホールリンクを介して、前記無線端末と前記基地局との間でトラフィックを中継する、
制御装置。
【０１４２】
（付記Ｂ２）
前記少なくとも１つのプロセッサは、前記無線端末と前記基地局との間のアップリンク又はダウンリンク通信品質に応じて、前記制御信号を前記無線端末に送信するよう構成されている、
付記Ｂ１に記載の制御装置。
【０１４３】
（付記Ｂ３）
前記少なくとも１つのプロセッサは、前記アップリンク又はダウンリンク通信品質が所定の閾値より低いことを検出したことに応答して、前記リレー選択の実行が前記無線端末に許可されることを示す前記制御信号を前記無線端末に送信するよう構成されている、
付記Ｂ２に記載の制御装置。
【０１４４】
（付記Ｂ４）
前記少なくとも１つのプロセッサは、前記無線端末から要求を受信したことに応答して、前記制御信号を前記無線端末に送信するよう構成されている、
付記Ｂ１〜Ｂ３のいずれか１項に記載の制御装置。
【０１４５】
（付記Ｂ５）
基地局を含むネットワークに配置される制御装置における方法であって、
前記ネットワークと無線端末のどちらがリレー選択を実行するかを切り替えるための制御信号を前記無線端末に送信することを備え、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記基地局との間のバックホールリンクを介して、前記無線端末と前記基地局との間でトラフィックを中継する、
方法。
【０１４６】
（付記Ｂ６）
前記送信することは、前記無線端末と前記基地局との間のアップリンク又はダウンリンク通信品質に応じて、前記制御信号を前記無線端末に送信することを含む、
付記Ｂ５に記載の方法。
【０１４７】
（付記Ｂ７）
基地局を含むネットワークに配置される制御装置における方法をコンピュータに行わせるためのプログラムであって、
前記方法は、前記ネットワークと無線端末のどちらがリレー選択を実行するかを切り替えるための制御信号を前記無線端末に送信することを備え、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記基地局との間のバックホールリンクを介して、前記無線端末と前記基地局との間でトラフィックを中継する、
プログラム。
【０１４８】
（付記Ｂ８）
無線端末であって、
メモリと、
前記メモリに結合された少なくとも１つのプロセッサと、
を備え、
前記少なくとも１つのプロセッサは、ネットワークと前記無線端末のどちらがリレー選択を実行するかを切り替えるための制御信号を前記ネットワークから受信するよう構成され、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記ネットワーク内の基地局との間のバックホールリンクを介して、前記無線端末と前記基地局との間でトラフィックを中継する、
無線端末。
【０１４９】
（付記Ｂ９）
前記少なくとも１つのプロセッサは、前記リレー選択を前記無線端末において行うか否かを前記制御信号に基づいて決定するよう構成されている、
付記Ｂ８に記載の無線端末。
【０１５０】
（付記Ｂ１０）
前記少なくとも１つのプロセッサは、前記無線端末と前記基地局との間のアップリンク又はダウンリンク通信品質が所定の閾値より低いことを検出したことに応答して、前記無線端末による前記リレー選択の実行の許可を求める要求を前記ネットワークに送信する、
付記Ｂ８又はＢ９に記載の無線端末。
【０１５１】
（付記Ｂ１１）
無線端末における方法であって、
ネットワークと前記無線端末のどちらがリレー選択を実行するかを切り替えるための制御信号を前記ネットワークから受信することを備え、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記ネットワーク内の基地局との間のバックホールリンクを介して、前記無線端末と前記基地局との間でトラフィックを中継する、
方法。
【０１５２】
（付記Ｂ１２）
前記リレー選択を前記無線端末において行うか否かを前記制御信号に基づいて決定することをさらに備える、
付記Ｂ１１に記載の方法。
【０１５３】
（付記Ｂ１３）
前記無線端末と前記基地局との間のアップリンク又はダウンリンク通信品質が所定の閾値より低いことを検出したことに応答して、前記無線端末による前記リレー選択の実行の許可を求める要求を前記ネットワークに送信することをさらに備える、
付記Ｂ１１又はＢ１２に記載の方法。
【０１５４】
（付記Ｂ１４）
無線端末における方法をコンピュータに行わせるためのプログラムであって、
前記方法は、ネットワークと前記無線端末のどちらがリレー選択を実行するかを切り替えるための制御信号を前記ネットワークから受信することを備え、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記ネットワーク内の基地局との間のバックホールリンクを介して、前記無線端末と前記基地局との間でトラフィックを中継する、
プログラム。
【０１５５】
（付記Ｂ１５）
無線端末であって、
メモリと、
前記メモリに結合された少なくとも１つのプロセッサと、
を備え、
前記少なくとも１つのプロセッサは、前記無線端末と基地局との間のアップリンク又はダウンリンク通信品質が所定の閾値より低いことを検出したことに応答して、前記無線端末によるリレー選択の実行の許可を求める要求又は前記リレー選択が前記無線端末により行われることを示す報告を、前記基地局を含むネットワークに送信するよう構成され、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記ネットワーク内の基地局との間のバックホールリンクを介して、前記無線端末と前記基地局との間でトラフィックを中継する、
無線端末。
【０１５６】
（付記Ｂ１６）
無線端末における方法であって、
前記無線端末と基地局との間のアップリンク又はダウンリンク通信品質が所定の閾値より低いことを検出したことに応答して、前記無線端末によるリレー選択の実行の許可を求める要求又は前記リレー選択が前記無線端末により行われることを示す報告を、前記基地局を含むネットワークに送信することを備え、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記基地局との間のバックホールリンクを介して、前記無線端末と前記基地局との間でトラフィックを中継する、
方法。
【０１５７】
（付記Ｂ１７）
無線端末における方法をコンピュータに行わせるためのプログラムであって、
前記方法は、前記無線端末と基地局との間のアップリンク又はダウンリンク通信品質が所定の閾値より低いことを検出したことに応答して、前記無線端末によるリレー選択の実行の許可を求める要求又は前記リレー選択が前記無線端末により行われることを示す報告を、前記基地局を含むネットワークに送信することを備え、
前記リレー選択は、１又は複数のリレー端末の中から前記無線端末に適した少なくとも１つの特定のリレー端末を選択することを含み、
各特定のリレー端末は、各特定のリレー端末と前記無線端末との間のデバイス・ツー・デバイス（Ｄ２Ｄ）リンク及び各特定のリレー端末と前記基地局との間のバックホールリンクを介して、前記無線端末と前記基地局との間でトラフィックを中継する、
プログラム。
【０１５８】
（付記Ｃ１）
メモリと、
前記メモリに結合された少なくとも１つのプロセッサと、
を備え、
前記少なくとも１つのプロセッサは、第１のリモート端末に適した少なくとも１つの特定のリレー端末を、１又は複数のリレー端末の中から、各リレー端末と接続又は通信している他のリモート端末の数を考慮して選択するよう構成され、
各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する、
リレー選択装置。
【０１５９】
（付記Ｃ２）
前記少なくとも１つのプロセッサは、前記他のリモート端末の数が小さいリレー端末ほど前記少なくとも１つの特定のリレー端末に優先的に選択するよう構成されている、
付記Ｃ１に記載のリレー選択装置。
【０１６０】
（付記Ｃ３）
前記少なくとも１つのプロセッサは、前記少なくとも１つの特定のリレー端末を選択するために、各リレー端末から前記基地局へのアップリンク送信の品質をさらに考慮するよう構成されている、
付記Ｃ１又はＣ２に記載のリレー選択装置。
【０１６１】
（付記Ｃ４）
前記少なくとも１つのプロセッサは、
各リレー端末の前記アップリンク送信の推定スループット及び各リレー端末の前記他のリモート端末の数から前記第１のリモート端末が利用できる実効スループットを推定し、
前記実効スループットに基づいて前記少なくとも１つの特定のリレー端末を選択するよう構成されている、
付記Ｃ３に記載のリレー選択装置。
【０１６２】
（付記Ｃ５）
前記少なくとも１つのプロセッサは、各リレー端末の最大送信電力を表すパワークラス情報を用いて、前記アップリンク送信の品質を判定するよう構成されている、
付記Ｃ３又はＣ４に記載のリレー選択装置。
【０１６３】
（付記Ｃ６）
前記アップリンク送信の品質は、各リレー端末の前記アップリンク送信に適用されるModulation and Coding Scheme（MCS）の推定値を含む、
付記Ｃ３〜Ｃ５のいずれか１項に記載のリレー選択装置。
【０１６４】
（付記Ｃ７）
前記少なくとも１つのプロセッサは、前記少なくとも１つの特定のリレー端末を選択するために、前記第１のリモート端末と各リレー端末との間のＤ２Ｄリンクの品質をさらに考慮するよう構成されている、
付記Ｃ１〜Ｃ６のいずれか１項に記載のリレー選択装置。
【０１６５】
（付記Ｃ８）
前記少なくとも１つのプロセッサは、前記第１のリモート端末と前記基地局との間の直接的な無線リンクの品質をさらに考慮して、前記１又は複数のリレー端末のいずれかを介するリレー経路と、前記直接的な無線リンクのどちらを前記第１のリモート端末の通信のために使用するかを決定するよう構成されている、
付記Ｃ１〜Ｃ７のいずれか１項に記載のリレー選択装置。
【０１６６】
（付記Ｃ９）
前記第１のリモート端末は、複数のＤ２Ｄリンクを同時に用いて通信できるよう構成され、
前記少なくとも１つのプロセッサは、前記第１のリモート端末の要求スループットを達成するために、複数の特定のリレー端末を選択するよう構成されている、
付記Ｃ１〜Ｃ８のいずれか１項に記載のリレー選択装置。
【０１６７】
（付記Ｃ１０）
第１のリモート端末に適した少なくとも１つの特定のリレー端末を、１又は複数のリレー端末の中から、各リレー端末と接続又は通信している他のリモート端末の数を考慮して選択することを備え、ここで、各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する、
リレー選択方法。
【０１６８】
（付記Ｃ１１）
前記選択することは、前記他のリモート端末の数が小さいリレー端末ほど前記少なくとも１つの特定のリレー端末に優先的に選択することを含む、
付記Ｃ１０に記載のリレー選択方法。
【０１６９】
（付記Ｃ１２）
前記選択することは、前記少なくとも１つの特定のリレー端末を選択するために、各リレー端末から前記基地局へのアップリンク送信の品質をさらに考慮することを含む、
付記Ｃ１０又はＣ１１に記載のリレー選択方法。
【０１７０】
（付記Ｃ１３）
各リレー端末の前記アップリンク送信の推定スループット及び各リレー端末の前記他のリモート端末の数から前記第１のリモート端末が利用できる実効スループットを推定することをさらに備え、
前記選択することは、前記実効スループットに基づいて前記少なくとも１つの特定のリレー端末を選択することを含む、
付記Ｃ１２に記載のリレー選択方法。
【０１７１】
（付記Ｃ１４）
各リレー端末の最大送信電力を表すパワークラス情報を用いて、前記アップリンク送信の品質を判定することをさらに備える、
付記Ｃ１２又はＣ１３に記載のリレー選択方法。
【０１７２】
（付記Ｃ１５）
前記アップリンク送信の品質は、各リレー端末の前記アップリンク送信に適用されるModulation and Coding Scheme（MCS）の推定値を含む、
付記Ｃ１２〜Ｃ１４のいずれか１項に記載のリレー選択方法。
【０１７３】
（付記Ｃ１６）
前記選択することは、前記少なくとも１つの特定のリレー端末を選択するために、前記第１のリモート端末と各リレー端末との間のＤ２Ｄリンクの品質をさらに考慮することを含む、
付記Ｃ１０〜Ｃ１５のいずれか１項に記載のリレー選択方法。
【０１７４】
（付記Ｃ１７）
前記第１のリモート端末と前記基地局との間の直接的な無線リンクの品質をさらに考慮して、前記１又は複数のリレー端末のいずれかを介するリレー経路と、前記直接的な無線リンクのどちらを前記第１のリモート端末の通信のために使用するかを決定することをさらに備える、
付記Ｃ１０〜Ｃ１６のいずれか１項に記載のリレー選択方法。
【０１７５】
（付記Ｃ１８）
前記第１のリモート端末は、複数のＤ２Ｄリンクを同時に用いて通信できるよう構成され、
前記選択することは、前記第１のリモート端末の要求スループットを達成するために、複数の特定のリレー端末を選択することを含む、
付記Ｃ１０〜Ｃ１７のいずれか１項に記載のリレー選択方法。
【０１７６】
（付記Ｃ１９）
リレー選択方法をコンピュータに行わせるためのプログラムを格納した非一時的なコンピュータ可読媒体であって、
前記リレー選択方法は、第１のリモート端末に適した少なくとも１つの特定のリレー端末を、１又は複数のリレー端末の中から、各リレー端末と接続又は通信している他のリモート端末の数を考慮して選択することを備え、ここで、各特定のリレー端末は、各特定のリレー端末と前記第１のリモート端末との間のデバイス・ツー・デバイス（Ｄ２Ｄ）リンク及び各特定のリレー端末と基地局との間のバックホールリンクを介して、前記第１のリモート端末と前記基地局との間でトラフィックを中継する、
非一時的なコンピュータ可読媒体。
【０１７７】
この出願は、２０１６年１月２５日に出願された日本出願特願２０１６−０１１６８６を基礎とする優先権を主張し、その開示の全てをここに取り込む。
【符号の説明】
【０１７８】
１  リモートUE
２  リレーUE
３  基地局
４  コアネットワーク
５  device-to-device（D2D）コントローラ
６  外部ネットワーク
７  ノード
１５０１  radio frequency（RF）トランシーバ
１５０３  ベースバンドプロセッサ
１５０４  アプリケーションプロセッサ
１５０６  メモリ
１６０４  プロセッサ
１６０５  メモリ
１７０２  プロセッサ
１７０３  メモリ
【図１】
2017130593.tif 000003
【図２】
2017130593.tif 000004
【図３】
2017130593.tif 000005
【図４】
2017130593.tif 000006
【図５】
2017130593.tif 000007
【図６】
2017130593.tif 000008
【図７】
2017130593.tif 000009
【図８】
2017130593.tif 000010
【図９】
2017130593.tif 000011
【図１０】
2017130593.tif 000012
【図１１】
2017130593.tif 000013
【図１２】
2017130593.tif 000014
【図１３】
2017130593.tif 000015
【図１４】
2017130593.tif 000016
【図１５】
2017130593.tif 000017
【図１６】
2017130593.tif 000018
【図１７】
2017130593.tif 000019
【国際調査報告】
2017130593.tif 000020
2017130593.tif 000021